(57)【要約】【課題】  接続部のカバーが不必要に開いてしまうことを防止できるとともに、省スペース化および小型化を図ることができる室内照明装置を提供すること。【解決手段】  室内照明装置１は、電線接続部７、電子部品接続部８、および照明接続部１０を含む複数の接続部を有する装置本体２と、これら複数の接続部を保護するために装置本体２に装着されるカバー部材と、を備える。カバー部材は、少なくとも電線接続部７とその他の接続部とを独立して保護するように、複数に分割（即ち、電線カバー３とその他のカバー４，５に分割）されている。【選択図】図１
2006024460.tif 000002
【特許請求の範囲】
【請求項１】
電線接続部、電子部品接続部、および照明接続部を含む複数の接続部を有する装置本体と、
前記複数の接続部を保護するために前記装置本体に装着されるカバー部材と、
を備え、
前記カバー部材が、少なくとも前記電線接続部とその他の接続部とを独立して保護する複数の分割カバーが形成されるように、複数に分割されていることを特徴とする室内照明装置。
【請求項２】
前記分割カバーのうち一つが前記電線接続部を保護する電線カバーであり、そして前記分割カバーのうち少なくとも他の一つは、発光ダイオードが接続された前記照明接続部を独立して保護するための照明カバーであることを特徴とする請求項１に記載した室内照明装置。
【請求項３】
前記照明カバーが、前記分割カバーのうちの他の分割カバーとは前記装置本体への装着方向が異なることを特徴とする請求項２に記載した室内照明装置。
【請求項４】
前記照明カバーが、透明材により形成されることを特徴とする請求項２または請求項３に記載した室内照明装置。
【請求項５】
前記照明カバーの前記発光ダイオードからの光の出射面が、前記光を集光または拡散する配光部として作用するように加工されていることを特徴とする請求項４に記載した室内照明装置。
【請求項６】
請求項２〜請求項５のいずれか一つに記載した室内照明装置を車両の室内に設けられた取付板の挿入孔に取り付ける室内照明装置の取付構造であって、
室内照明装置が、前記室内照明装置の前記照明接続部および前記照明カバーにそれぞれ形成された互いに嵌合可能な分割挿入部を更に備え、
前記分割挿入部同士が嵌合して一体となり挿入部を形なするように前記照明接続部に前記照明カバーが装着され、
前記取付板の挿入孔が前記挿入部の外形と略同一の孔形状を有し、
前記挿入部が前記挿入孔に挿入されることを特徴とする室内照明装置の取付構造。
【請求項７】
前記挿入部の外周に少なくとも一つの出っ張り部が形成され、当該出っ張り部の下端に切欠溝が形成されており、
前記挿入部を前記挿入孔に対して前記切欠溝の位置まで挿入した状態で、前記室内照明装置を前記取付板に対して前記挿入部を中心に所定量ねじることにより、前記出っ張り部の下端の前記切欠溝に前記取付板が嵌り込み、前記取付板への前記室内照明装置の取り付けが完了することを特徴とする請求項６に記載した室内照明装置の取付構造。
【発明の詳細な説明】
【技術分野】
【０００１】
本発明は、自動車等の車両の車内天井、物入れ等の収納部、等に配置される室内照明装置および室内照明装置の取付構造に関する。
【背景技術】
【０００２】
自動車等の車両には、例えば、コンソールボックス、グローブボックス、等といった小物を収納する収納部が備えられている。そして、当該収納部には、車内が暗い場合でも必要な小物類を取り出したり、またはしまい込んだりすることを容易にするための発光ダイオード（ＬＥＤ）を備える照明接続部、ＬＥＤへの電流制御用の抵抗、およびダイオード、等を備える電子部品接続部、更には前記各接続部と電源回路やスイッチ回路とを接続するリード線等を備える電線接続部、を持つ室内照明装置が取り付けられている。（例えば、特許文献１参照）
【０００３】
特許文献１に開示された室内照明装置１００は、図６、図７（ａ）および図７（ｂ）に示されるように、ＬＥＤチップ１０１、ダイオード１０２、抵抗１０３、およびリード線１０４を載置または接続したプリント基板１０５が装置本体１０６に搭載され、この装置本体１０６がコンソールボックスの壁面（不図示）に取付部１０６ａを介して取り付けられ、レンズ１０７により覆われた構造を備えている。尚、ＬＥＤチップ１０１を具備する部分が照明接続部に、ダイオード１０２、抵抗１０３を具備する部分が電子部品接続部に、そしてリード線１０４を具備する部分が電線接続部に、それぞれ相当する。
【０００４】
ところで、上記室内照明装置１００においては、レンズ１０７が、各接続部に具備されるＬＥＤチップ１０１、ダイオード１０２、抵抗１０３、およびリード線１０４それぞれを保護するカバーを兼ねた構造になっている。
【特許文献１】特開平０９−２７２３７７号公報
【発明の開示】
【発明が解決しようとする課題】
【０００５】
しかしながら、このような構造においてリード線１０４が引っ張られた際には、電線接続部、電子部品接続部、および照明接続部それぞれを保護しているレンズ１０７が外れ、電線接続部以外の接続部も露出してしまい、例えばダイオード１０２や抵抗１０３等を損傷してしまう可能性が高い。また、例えばＬＥＤチップ１０１の交換等のメンテナンス時においても、各接続部を保護しているレンズ１０７を外す必要があるため、照明接続部以外の接続部も露出してしまい、前述と同様に不具合を生じてしまう可能性がある。
【０００６】
また、照明用のＬＥＤとして、後述の本発明の実施形態に示すような比較的大きな形状のもの（図３参照）を用いる場合、上記のようにカバーが一つであると、ＬＥＤを装置本体１０６の長手方向の端部より突出させた、長手方向に長い室内照明装置となってしまい、省スペース化が困難であるばかりでなく、該室内照明装置を車両に組み付けた際、ＬＥＤの先端部が意匠部よりも突出してしまう。
【０００７】
本発明は、上記事情に鑑みてなされたものであり、その目的は、接続部のカバーが不必要に開いてしまうことを防止できるとともに、省スペース化および小型化を図ることができる室内照明装置を提供することにある。更に、本発明の他の目的は、室内照明装置を取付板に取り付ける際に、照明接続部と照明カバーの嵌合が適正であるかを確認することができるとともに、室内照明装置を取付板に取り付け後の室内照明装置の脱落を防止することができる室内照明装置の取付構造を提供することにある。
【課題を解決するための手段】
【０００８】
上記目的を達なするため、本発明に係る室内照明装置および室内照明装置の取付構造は、下記（１）、（２）、（３）、（４）、（５）、（６）および（７）を特徴としている。
（１）  電線接続部、電子部品接続部、および照明接続部を含む複数の接続部を有する装置本体と、
前記複数の接続部を保護するために前記装置本体に装着されるカバー部材と、
を備え、
前記カバー部材が、少なくとも前記電線接続部とその他の接続部とを独立して保護する複数の分割カバーが形成されるように、複数に分割されていること。
（２）  上記（１）の構成の室内照明装置であって、前記分割カバーのうち一つが前記電線接続部を保護する電線カバーであり、そして前記分割カバーのうち少なくとも他の一つは、発光ダイオードが接続された前記照明接続部を独立して保護するための照明カバーであること。
（３）  上記（２）の構成の室内照明装置であって、前記照明カバーが、前記分割カバーのうちの他の分割カバーとは前記装置本体への装着方向が異なること。
（４）  上記（２）または（３）の構成の室内照明装置であって、前記照明カバーが、透明材により形成されること。
（５）  上記（４）の構成の室内照明装置であって、前記照明カバーの前記発光ダイオードからの光の出射面が、前記光を集光または拡散する配光部として作用するように加工されていること。
（６）  上記（２）〜（５）のいずれかの構成の室内照明装置を車両の室内に設けられた取付板の挿入孔に取り付ける室内照明装置の取付構造であって、
室内照明装置が、前記室内照明装置の前記照明接続部および前記照明カバーにそれぞれ形成された互いに嵌合可能な分割挿入部を更に備え、
前記分割挿入部同士が嵌合して一体となり挿入部を形なするように前記照明接続部に前記照明カバーが装着され、
前記取付板の挿入孔が前記挿入部の外形と略同一の孔形状を有し、
前記挿入部が前記挿入孔に挿入されること。
（７）  上記（６）の構成の室内照明装置の取付構造であって、前記挿入部の外周に少なくとも一つの出っ張り部が形成され、当該出っ張り部の下端に切欠溝が形成されており、
前記挿入部を前記挿入孔に対して前記切欠溝の位置まで挿入した状態で、前記室内照明装置を前記取付板に対して前記挿入部を中心に所定量ねじることにより、前記出っ張り部の下端の前記切欠溝に前記取付板が嵌り込み、前記取付板への前記室内照明装置の取り付けが完了すること。
【０００９】
上記（１）の構成の室内照明装置によれば、カバー部材が、少なくとも電線接続部を保護する分割カバーとその他の接続部とを保護する分割カバーとに分割されることにより、電線に力が加わっても電線接続部を保護する分割カバー以外の分割カバーには力が加わらず、接続部のカバーが不必要に開いてしまうことが防止される。
上記（２）の構成の室内照明装置によれば、カバー部材が、電線カバー以外に少なくとも照明カバーに分割されているので、発光ダイオードの交換等のメンテナンスのために照明カバーに外す力が加わったとしてもそれ以外のカバーにはその力は加わらず、接続部のカバーが不必要に開いてしまうことが防止される。
上記（３）の構成の室内照明装置によれば、照明カバーの装置本体（照明接続部）への装着方向が他の分割カバーとは異なるようにしてあるので、発光ダイオードを室内照明装置の長手方向以外の向きに配置することができ、室内照明装置の取り付けスペースを小さくすることができる。
上記（４）の構成の室内照明装置によれば、照明カバーを透明材により形成しているので、この照明カバーが発光ダイオードからの光を出射するレンズを兼ねることになり、専用のレンズを具備する必要がなくなることから、室内照明装置の小型化および省スペース化を図ることができる。
上記（５）の構成の室内照明装置によれば、照明カバーの光出射面に、発光ダイオードからの光を集光または拡散する配光部として作用するように加工を施しているので、該照明カバーが配光特性を有するレンズを兼ねることになり、専用のレンズを具備する必要がなくなることから、室内照明装置の小型化および省スペース化を図れる。
上記（６）の構成の室内照明装置の取付構造によれば、照明接続部に照明カバーが装着されることにより、室内照明装置の照明接続部および照明カバーそれぞれに設けられた分割挿入部同士が嵌合して一体となる挿入部を、この挿入部の外形と略同一の孔形状を有する取付板の挿入孔に挿入するようにしているので、照明接続部への照明カバーの装着が完全でない場合には照明接続部および照明カバーそれぞれに設けられた分割挿入部同士の嵌合が適正ではなくなり（例えば、半嵌合のような場合には挿入部の外形が挿入孔の孔形状よりも大きくなり）、よって取付板に室内照明装置を取り付けることができない。従って、照明接続部と照明カバーの嵌合が適正でないことをその取り付け作業時に確認でき、不良品を減らすことができる。
上記（７）の構成の室内照明装置の取付構造によれば、分割挿入部同士が嵌合して一体となる挿入部を、取付板の挿入孔に対して切欠溝の位置まで挿入した状態で、室内照明装置を取付板に対して前記挿入部を中心に所定量ねじることにより、出っ張り部の下端に形成された切欠溝に取付板が嵌り込む、換言すれば、出っ張り部が取付板に係止されるようにしているので、室内照明装置を取付板に取り付けた後は、室内照明装置を取付板に対して前記挿入部を中心に所定量、前記とは反対方向にねじって取り外さない限り、取付板からの室内照明装置の脱落を防止することができる。つまり、簡単な取付構造でありながら、室内照明装置の脱落を確実に防止することが可能になる。
【発明の効果】
【００１０】
本発明によれば、接続部のカバーが不必要に開いてしまうことを防止できるとともに、省スペース化および小型化を図れる。また、室内照明装置を取付板に取り付ける際に、照明接続部と照明カバーの嵌合が適正であるかを確認することができるとともに、取付板に室内照明装置を取り付けた後の室内照明装置の取付板から脱落を防止することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。
【００１３】
図１〜図５は本発明に係る室内照明装置の一実施形態（室内照明装置１）を示す図であり、詳しくは、図１は各接続部を保護するカバー部材（複数の分割カバー）を装置本体に装着する前の状態を示す分解斜視図、図２はカバー部材（複数の分割カバー）を装置本体に装着した状態を示す斜視図、図３は装置本体の照明接続部に接続される発光ダイオード（ＬＥＤ）と該ＬＥＤを保護する照明カバーを示す分解斜視図、図４は装置本体の照明接続部に照明カバーを装着した状態を示す要部斜視図、そして図５は室内照明装置の取付板への取り付け方法について説明するための斜視図である。
【００１４】
図１〜図５に示されるように、室内照明装置１は、装置本体２と、それぞれ分割カバーである電線カバー３、電子部品カバー４および照明カバー５を有するカバー部材と、を備える。装置本体２は、電線６が接続されるバスバー（不図示）が具備される電線接続部７、整流ダイオード（不図示）や電流制限抵抗（不図示）が接続される電子部品接続部８、および室内照明用のＬＥＤ９が接続される照明接続部１０を有している。
【００１５】
電線接続部７には対をなす係止部７ａ、７ｂが両側面（一方の側面に設けられる係止部７ａ、７ｂは図示せず。）に設けられており、この電線接続部７に内蔵されるバスバー（不図示）に対して電線６が電気的に接続され、その後、図１の矢印Ａ方向に電線カバー３が装着される。この装着により、電線カバー３の両側面に設けられた対をなす係合溝３ａ、３ｂが電線接続部７の係止部７ａ、７ｂに係合し、電線カバー３が電線接続部７を保護することになる。
【００１６】
また、電子部品接続部８には対をなす係止部８ａ、８ｂが両側面（一方の側面に設けられる係止部８ａ、８ｂは図示せず。）に設けられており、この電子部品接続部８に整流ダイオード（不図示）および電流制限抵抗（不図示）が接続され、その後、図１の矢印Ｂ方向に電子部品カバー４が装着される。この装着により、電子部品カバー４の両側面に設けられた対をなす係合溝４ａ、４ｂが電子部品接続部８の係止部８ａ、８ｂに係合し、電子部品カバー４が電子部品接続部８を保護することになる。
【００１７】
また、照明接続部１０には対をなす係止部１０ａが両側面（一方の側面に設けられる係止部１０ａは図示せず。）に設けられており、この照明接続部１０に図３に示すような向き（即ち、室内照明装置１の長手方向と直交する方向）でＬＥＤ９が接続され、その後、図１の矢印Ｃ方向に照明部品カバー５が装着される。この装着により、照明カバー１０の両側面に設けられた対をなす係合溝５ａが照明接続部１０の係止部１０ａに係合する。また、この際、図５に示す取付板１１の挿入孔１１ａに挿入される、照明接続部１０および照明カバー５に設けられた分割挿入部１０ｂ，５ｂが嵌合して一体の挿入部１２（図２、図４参照）をなす。これにより、照明カバー５が照明接続部１０を保護することになる。
【００１８】
ここで、照明カバー５の構造等について詳述する。
【００１９】
照明カバー５は、照明接続部１０内を外部より目視可能なように、ＰＣ（即ち、ポリカーボネイト）やアクリル等の透明材により形成されている。また、上記のように照明接続部１０に照明カバー５が装着された際、照明接続部１０に設けられた分割挿入部１０ｂと嵌合する分割挿入部５ｂを有しており、この分割挿入部５ｂの先端面５ｃにレンズカットまたはシボ等の加工を施している。従って、分割挿入部５ｂ内に収納されるＬＥＤ９からの光がこの先端面５ｃにて集光または拡散される。つまり、光を出射する先端面５ｃが配光部として作用することになる。よって、ＬＥＤ９の配光レンズとして専用のレンズ部材を設ける必要がなくなり、小型化になるとともに、コストの面でも有利となる。
【００２０】
また、照明カバー５は、装置本体２（即ち、照明接続部１０）への装着する方向（即ち、矢印Ｃ方向）が、他の電線カバー３や電子部品カバー４と異なるように構成されている。これは次の理由による。もし、照明カバー５も、電線カバー３や電子部品カバー４と同一の方向に装置本体２に装着する構造にした場合、ＬＥＤ９を図３に示す向きと直交する向きに配置（より詳細には、矢印Ｃ方向と反対の方向にＬＥＤ９の発光部が向かうように配置）せざるをえず、その結果、例えば装置本体２の端部（即ち、図１の右端部）に、分割挿入部に相当する突出した筒形状部が設けられるような構造となり、その筒形状部の分だけ図１等に示す本実施形態の室内照明装置に比べて長手方向に長い室内照明装置となってしまう。従って、後述の図５の矢印Ｄ方向に沿うように室内照明装置を長手方向に配置して取付板に取り付けなければならず、自動車等の車両の省スペース化を損なうことになる。更に、室内照明装置を車両に具備される取付板に取り付けが完了した状態では、室内照明装置が上記のように長手方向に長くなっているので前記筒形状部が意匠部よりも突出してしまい、室内のデザイン性を損なう等の問題も生じてしまう。このような点に鑑み、本実施形態では、上記したように照明カバー５の装置本体２への装着する方向を他の分割カバーの装着方向と異ならせることで、室内照明装置１の取り付け方向の寸法が長くならないようにして、省スペース化を可能にしている。
【００２１】
上記のようにして、各接続部（即ち、電線接続部７、電子部品接続部８、照明接続部１０）のそれぞれに各分割カバー（即ち、電線カバー３、電子部品カバー４、照明カバー５）を装着して、図２に示すように室内照明装置１が組み上がると、この室内照明装置１は、車両に具備される取付板１１に取り付けられることになるが、この際の手順を、図５を用いて説明する。
【００２２】
取付板１１は、図５に示すように挿入孔１１ａを有しており、この挿入孔１１ａの孔形状は、照明接続部１０と照明カバー５のそれぞれに設けられた分割挿入部１０ｂ、５ｂが嵌合されてなる挿入部１２の外形と略同一（好ましくは、挿入可能なように僅かに大きい。）となっている。
【００２３】
先ず、挿入部１２を上記取付板１１の挿入穴１１ａに矢印Ｄ方向に挿入する。そして、挿入部１２の出っ張り部５ｄの下端に形成されている切欠溝５ｅが取付板１１に嵌め込み可能な位置に達するとその挿入を止める。尚、この実施形態では、挿入部１２を矢印Ｄ方向へ挿入可能な位置まで挿入した状態が、切欠溝５ｅが取付板１１に嵌め込み可能な位置となるように構成されているので、その挿入量を気にする必要はない。また、切欠溝５ｅの溝の高さ寸法は、取付板１１の板厚よりも僅かに大きな寸法となっている。
【００２４】
次に、挿入部１２の中心軸１３を中心として室内照明装置１を矢印Ｅ方向に例えば９０度ねじる（即ち、回動する）と、取付板１１が切欠溝５ｅに嵌まった状態で室内照明装置１が取付板１１に対して９０度反時計回りに回転する。これにより、挿入孔１１ａの径寸法よりも大きな外径寸法を持つ出っ張り部５ｄの部分が、該挿入孔１１ａを形成する取付板１１の部分上に乗るようになるため、出っ張り部５ｄが取付板１１に引っ掛かり、取付板１１に室内照明装置１が係止された状態となる。以上により、取付板１１への室内照明装置１の取り付けが完了する。
【００２５】
上記のようにして室内照明装置１の取り付けが完了すると、挿入部１２の高さ寸法と略同一の高さ寸法をもって、取付板１１上に車両の意匠部１４が配置されているとした場合、意匠部１４の１４ａで示した部分に挿入部１２の先端面が位置することになり、挿入部１２が意匠部１４よりも突出して、室内のデザイン性を損なうといったことが無くなる。また、矢印Ｄ方向の室内照明装置１の寸法は、（照明カバー５の高さ寸法）＋（挿入部５ｂの高さ寸法）であり、上記のように照明カバーの装置本体への装着方向も他の分割カバーと同一とした場合の矢印Ｄ方向の室内照明装置（（装置本体２の長手方向の寸法）＋（挿入部に相当する筒形状部の高さ寸法））と比べて、その取り付け方向の寸法は半分以下となり、省スペース化が可能となる。
【００２６】
最後に、上記実施形態における効果について、以下にまとめて説明する。
【００２７】
装置本体２を保護するカバー部材を、電線カバー３と、電子部品カバー４と、照明カバー５といった複数の分割カバーに分割しているので、電線６に力が加わっても電線カバー３以外の分割カバーには力が加わらず、電子部品カバー４や照明カバー５が開いてしまうことがなく、整流ダイオードやＬＥＤ９等を損傷してしまう虞がなくなる。尚、この効果は、装置本体２を保護するカバー部材が、少なくとも電線カバーとその他のカバーに分割されていれば得ることができることは言うまでもない。また、このような構成の場合、電線カバー３以外はストレインリリーフ構造を必要としないため、室内照明装置１の小型化に寄与することにもなる。
【００２８】
また、整流ダイオード、電流制限抵抗、または発光ダイオードの交換等のメンテナンスのために、電子部品カバー４や照明カバー５が開かれたとしても、上記と同様に、その他の分割カバーが開くことはないので、他の接続部に接続された例えば電線６等を損傷したりすることを防止することができる。
【００２９】
また、照明カバー５の照明接続部１０への装着方向が他の分割カバーとは異なるようにしているので、ＬＥＤ９を図３に示すような向きに配置することができ、室内照明装置１の取付板１１への取り付け方向の寸法を短くすることができ、省スペース化を図ることができる。
【００３０】
また、照明カバー５を透明材により形成しているので、専用のレンズを具備する必要がなくなり、室内照明装置１の小型化および省スペース化を達成可能となる。同様に、照明カバー５の先端面５ｃに、ＬＥＤ９からの光を集光または拡散する配光部として作用するようにレンズカットまたはシボ等の加工を施しているので、専用の配光レンズを具備する必要がなくなり、室内照明装置１の小型化および省スペース化を達成可能となる。
【００３１】
更に、照明接続部１０および照明カバー５それぞれに設けられた分割挿入部１０ｂ、５ｂ同士が嵌合して形成される挿入部１２を、この挿入部１２の外形と略同一の孔形状を有する取付板１１の挿入孔１１ａに挿入するようにしているので、照明接続部１０への照明カバー５の装着が完全でない例えば半嵌合のような場合には取付板１１の挿入孔１１ａに挿入部１２を挿入することができず、照明接続部１０と照明カバー５の嵌合が適正でないことを取り付け作業時に知ることができ、不良品の発生を防止することが可能となる。
【００３２】
更に、挿入部１２を取付板１１の挿入孔１１ａに挿入した状態で、室内照明装置１を取付板１１に対し挿入部１２を中心に所定量ねじることにより、出っ張り部５ｄの下端に形成された切欠溝５ｅに取付板１が嵌り込むようにしているので、室内照明装置１を取付板１１に取り付けた後は、室内照明装置１を取付板１１から外さない限り、取付板１１からの室内照明装置１が脱落してしまうことはない。つまり、取付板１１に室内照明装置１を保持する構造が簡単でありながら、取付板１１への室内照明装置１の取り付け状態を強固なものにすることができる。
【００３３】
尚、本発明は、前述した実施形態に限定されるものではなく、適宜、変形，改良，等が可能である。その他、前述した実施形態における各構成要素の形状、寸法、数値、形態、数、配置箇所、等は本発明を達成できるものであれば任意であり、限定されない。
【図面の簡単な説明】
【００３４】
【図１】図１は各接続部を保護するカバー部材（複数の分割カバー）を装置本体に装着する前の状態を示す分解斜視図である。
【図２】カバー部材（複数の分割カバー）を装置本体に装着した状態を示す斜視図である。
【図３】装置本体の照明接続部に接続される発光ダイオード（ＬＥＤ）と該ＬＥＤを保護する照明カバーを示す分解斜視図である。
【図４】装置本体の照明接続部に照明カバーを装着した状態を示す要部斜視図である。
【図５】室内照明装置の取付板への取り付け方法について説明するための斜視図である。
【図６】従来の室内照明装置の斜視図である。
【図７】（ａ）および（ｂ）は図６の室内照明装置の内部構造を示す図である。
【符号の説明】
【００３５】
１  室内照明装置
２  装置本体
３  電線カバー（分割カバー）
４  電子部品カバー（分割カバー）
５  照明カバー（分割カバー）
５ｂ  分割挿入部
５ｄ  出っ張り部
５ｅ  切欠溝
６  電線
７  電線接続部
８  電子部品接続部
９  ＬＥＤ
１０  照明接続部
１０ｂ  分割挿入部
１１  取付板
１２  挿入部
１４  意匠部
【図１】
2006024460.tif 000003
【図２】
2006024460.tif 000004
【図３】
2006024460.tif 000005
【図４】
2006024460.tif 000006
【図５】
2006024460.tif 000007
【図６】
2006024460.tif 000008
【図７】
2006024460.tif 000009